(57)【要約】【課題】利用者が入力する暗証番号が入力禁止暗証番号に該当するか否かの確認を容易にする。【解決手段】使用を禁止する入力禁止暗証番号を記憶する記憶部４と、入力部３で入力された暗証番号に基づいて記憶部４を検索し、入力禁止暗証番号を抽出する制御部５とを備え、制御部５は、入力部３で暗証番号の１桁の数字が入力される毎に、入力された数字に基づいて記憶部４を検索して入力禁止暗証番号を抽出し、表示部２に表示する。【選択図】        図１
2014235635.tif 000002
【特許請求の範囲】
【請求項１】
暗証番号の入力画面を表示する表示部と、利用者の暗証番号を入力する入力部とを備えた情報処理装置において、
使用を禁止する入力禁止暗証番号を記憶する記憶部と、
前記入力部で入力された暗証番号に基づいて前記記憶部を検索し、入力禁止暗証番号を抽出する制御部とを備え、
前記制御部は、前記入力部で暗証番号の１桁の数字が入力される毎に、入力された数字に基づいて前記記憶部を検索して前記入力禁止暗証番号を抽出し、前記表示部に表示することを特徴とする情報処理装置。
【請求項２】
請求項１に記載の情報処理装置において、
前記入力部は、利用者を識別する利用者識別情報を入力し、
前記記憶部は、利用者に共通して使用が禁止される共通入力禁止暗証番号と、利用者毎に使用が禁止される利用者別入力禁止暗証番号とを記憶し、
前記制御部は、前記利用者識別情報に基づいて前記記憶部を検索して前記利用者の利用者別入力禁止暗証番号を抽出した後、入力された数字に基づいて前記共通入力禁止暗証番号および前記利用者の利用者別入力禁止暗証番号を検索して前記利用者の入力禁止暗証番号を抽出することを特徴とする情報処理装置。
【請求項３】
請求項１または請求項２に記載の情報処理装置において、
前記制御部は、前記入力禁止暗証番号と一致する最終桁の数字の入力を禁止することを特徴とする情報処理装置。
【請求項４】
暗証番号の入力画面を表示する表示部と、利用者の暗証番号を入力する入力部とを備えた自動取引装置において、
使用を禁止する入力禁止暗証番号を記憶する記憶部と、
前記入力部で入力された暗証番号に基づいて前記記憶部を検索し、入力禁止暗証番号を抽出する制御部とを備え、
前記制御部は、前記入力部で暗証番号の１桁の数字が入力される毎に、入力された数字に基づいて前記記憶部を検索して前記入力禁止暗証番号を抽出し、前記表示部に表示することを特徴とする自動取引装置。
【請求項５】
請求項４に記載の自動取引装置において、
前記入力部は、利用者を識別する利用者識別情報を入力し、
前記記憶部は、利用者に共通して使用が禁止される共通入力禁止暗証番号と、利用者毎に使用が禁止される利用者別入力禁止暗証番号とを記憶し、
前記制御部は、前記利用者識別情報に基づいて前記記憶部を検索して前記利用者の利用者別入力禁止暗証番号を抽出した後、入力された数字に基づいて前記共通入力禁止暗証番号および前記利用者の利用者別入力禁止暗証番号を検索して前記利用者の入力禁止暗証番号を抽出することを特徴とする自動取引装置。
【請求項６】
請求項４または請求項５に記載の自動取引装置において、
前記制御部は、前記入力禁止暗証番号と一致する最終桁の数字の入力を禁止することを特徴とする自動取引装置。
【請求項７】
暗証番号の入力画面を表示する表示手段と、利用者の暗証番号を入力する入力手段とを備えた自動取引システムにおいて、
使用を禁止する入力禁止暗証番号を記憶する記憶手段と、
前記入力手段で入力された暗証番号に基づいて前記記憶手段を検索し、入力禁止暗証番号を抽出する制御手段とを備え、
前記制御手段は、前記入力手段で暗証番号の１桁の数字が入力される毎に、入力された数字に基づいて前記記憶手段を検索して前記入力禁止暗証番号を抽出し、前記表示手段に表示することを特徴とする自動取引システム。
【請求項８】
請求項７に記載の自動取引システムにおいて、
前記入力手段は、利用者を識別する利用者識別情報を入力し、
前記記憶手段は、利用者に共通して使用が禁止される共通入力禁止暗証番号と、利用者毎に使用が禁止される利用者別入力禁止暗証番号とを記憶し、
前記制御手段は、前記利用者識別情報に基づいて前記記憶手段を検索して前記利用者の利用者別入力禁止暗証番号を抽出した後、入力された数字に基づいて前記共通入力禁止暗証番号および前記利用者の利用者別入力禁止暗証番号を検索して前記利用者の入力禁止暗証番号を抽出することを特徴とする自動取引システム。
【請求項９】
請求項７または請求項８に記載の自動取引システムにおいて、
前記自動取引システムは、通信可能に接続された自動取引装置とホストコンピュータとからなり、
前記自動取引装置は、前記表示手段および前記入力手段を備え、
前記ホストコンピュータは、前記記憶手段および前記制御手段を備えていることを特徴とする自動取引システム。
【請求項１０】
請求項９に記載の自動取引システムにおいて、
前記自動取引装置は、前記入力禁止暗証番号と一致する最終桁の数字の入力を禁止することを特徴とする自動取引システム。
【発明の詳細な説明】
【技術分野】
【０００１】
本発明は、利用者の操作により暗証番号の入力を受付ける情報処理装置、自動取引装置および自動取引システムに関する。
【背景技術】
【０００２】
従来の情報処理装置は、クレジットカード会社のホームページの入会申込画面において、暗証番号の入力枠の下部に、暗証番号として使用しない方が好ましい複数の入力禁止暗証番号の例を、「並び番号」、「生年月日」、「電話番号」、または「生年月日や電話番号を構成する数字の組み合わせ」として表示するようにしているものがある（例えば、特許文献１参照）。
【先行技術文献】
【特許文献】
【０００３】
【特許文献１】特開２００６−２０１８９９号公報（段落「００１５」、図２）
【発明の概要】
【発明が解決しようとする課題】
【０００４】
しかしながら、上述した従来の技術においては、入力禁止暗証番号が多数存在する場合、画面に表示された入力禁止暗証番号から利用者が入力する暗証番号が入力禁止暗証番号に該当するか確認し難いという問題がある。
本発明は、このような問題を解決することを課題とし、利用者が入力する暗証番号が入力禁止暗証番号に該当するか否かの確認を容易に行うことができるようにすることを目的とする。
【課題を解決するための手段】
【０００５】
そのため、本発明は、暗証番号の入力画面を表示する表示部と、利用者の暗証番号を入力する入力部とを備えた情報処理装置において、使用を禁止する入力禁止暗証番号を記憶する記憶部と、前記入力部で入力された暗証番号に基づいて前記記憶部を検索し、入力禁止暗証番号を抽出する制御部とを備え、前記制御部は、前記入力部で暗証番号の１桁の数字が入力される毎に、入力された数字に基づいて前記記憶部を検索して前記入力禁止暗証番号を抽出し、前記表示部に表示することを特徴とする。
【発明の効果】
【０００６】
このようにした本発明は、利用者は入力する暗証番号が入力禁止暗証番号に該当するか否かの確認を容易に行うことができるという効果が得られる。
【図面の簡単な説明】
【０００７】
【図１】第１の実施例における情報処理装置の構成を示すブロック図
【図２】第１の実施例におけるデータベースの構成を示す説明図
【図３】第１の実施例における暗証番号変更処理の流れを示すフローチャート
【図４】第１の実施例における暗証番号変更画面の説明図
【図５】第２の実施例における自動取引システムの構成を示すブロック図
【発明を実施するための形態】
【０００８】
以下、図面を参照して本発明による情報処理装置、自動取引装置および自動取引システムの実施例を説明する。
【実施例１】
【０００９】
図１は第１の実施例における情報処理装置の構成を示すブロック図である。
図１において、情報処理装置１は、コンピュータであり、表示部２と、入力部３と、記憶部４と、制御部５とにより構成されている。この情報処理装置１は、例えばパーソナルコンピュータ、タブレット型コンピュータ、携帯情報端末、現金自動預払機や自動券売機等の自動取引装置、多機能型端末装置等のコンピュータである。
表示部２は、液晶ディスプレイ等の表示手段で構成され、各種情報を表示するためのものである。本実施例では、表示部２は暗証番号の設定画面や変更画面等の入力画面を表示する。
【００１０】
入力部３は、マウスやキーボード、表示部２に設けられたタッチパネル等の入力手段で構成され、利用者の操作を受け付けて各種情報を入力するためのものである。この入力部３は、表示部２に表示された画面にしたがって各種情報を入力することができるようになっており、本実施例では、利用者の暗証番号や利用者を識別するための利用者識別情報を入力する。
【００１１】
記憶部４は、半導体メモリや磁気ディスク等で構成された情報記憶装置である。この記憶部４は情報処理装置１全体を制御するためのソフトウェア（プログラム）や各種処理を実行するためのソフトウェア（プログラム）やデータ、表示部２に表示する画面の情報、入力部３で入力された情報等を記憶するものである。
また、記憶部４は、利用者が使用することを禁止する暗証番号である入力禁止暗証番号を記憶するデータベース４１を備えている。なお、データベース４１の構成は後述する。
【００１２】
制御部５は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段等で構成されたものである。この制御部５は表示部２、入力部３、および記憶部４を含めて情報処理装置１全体の動作を記憶部４に格納された制御プログラム（ソフトウェア）に基づいて制御する。
また、制御部５は、入力部３で入力された暗証番号に基づいて記憶部４のデータベース４１を検索し、入力禁止暗証番号を抽出するものであり、本実施例では、入力部３で暗証番号の１桁の数字が入力される毎に、入力された数字に基づいて記憶部４のデータベース４１を検索して入力禁止暗証番号を抽出し、表示部２に表示する。
【００１３】
図２は第１の実施例におけるデータベースの構成を示す説明図である。図２に示すデータベースは図１に示す記憶部４に備えられたデータベース４１であり、図２（ａ）は利用者に共通して使用が禁止される禁止暗証番号（以下、「共通入力禁止暗証番号」という。）、図２（ｂ）は利用者毎に使用が禁止される禁止暗証番号（以下、「利用者別入力禁止暗証番号」という。）である。
図２（ａ）において、共通入力禁止暗証番号４１ａは、例えば「００００」、「１１１１」、「１２３４」等の同一の数字で構成された暗証番号や昇順や降順の連続した数字で構成された暗証番号であり、利用者の属性に依存することなく、すべての利用者に対して使用を禁止する暗証番号をデータベースとしたものである。
【００１４】
図２（ｂ）において、利用者別入力禁止暗証番号４１ｂは、例えば「１９８０」（誕生年）、「１２２５」（誕生月日）、「０１１９」（電話番号の一部（例えば、下４桁））、「０２１４」（使用済みの暗証番号）等の暗証番号であり、利用者の誕生年月日や電話番号等の利用者の属性により使用を禁止する暗証番号をデータベースとしたものである。この利用者別入力禁止暗証番号４１ｂは、利用者を識別するログインＩＤや口座番号等の利用者識別情報に関連付けて記憶され、利用者識別情報に基づいて検索することにより、利用者毎に使用を禁止する暗証番号を抽出することができるようになっている。
【００１５】
このように、図１に示す記憶部４に備えられたデータベース４１は、共通入力禁止暗証番号４１ａおよび利用者別入力禁止暗証番号４１ｂにより構成されている。なお、利用者別入力禁止暗証番号４１ｂは、データベース４１に利用者を登録するときに、生成されるものとする。
また、図１に示す制御部５は、入力部３で入力された利用者識別情報に基づいて記憶部４のデータベース４１を検索して利用者の利用者別入力禁止暗証番号４１ｂを抽出した後、入力された数字に基づいて共通入力禁止暗証番号４１ａおよび利用者の利用者別入力禁止暗証番号４１ｂを検索して利用者の入力禁止暗証番号を抽出する。
【００１６】
上述した構成の作用について説明する。
情報処理装置が行う暗証番号変更処理を図３の第１の実施例における暗証番号変更処理の流れを示すフローチャートの図中Ｓで表すステップにしたがって図１、図２および図４を参照しながら説明する。なお、図４は第１の実施例における暗証番号変更画面の説明図である。
まず、情報処理装置１は、予め記憶部４に入力禁止となる暗証番号をデータベース４１として記憶し、共通入力禁止暗証番号４１ａおよび利用者別入力禁止暗証番号４１ｂを登録しておくものとする。
【００１７】
また、情報処理装置１の制御部５は、入力部３でログインＩＤ等の利用者識別情報の入力操作を受付けた後、暗証番号の登録や変更を行う利用者の入力操作を受付けると、暗証番号変更画面を表示部２に表示する。
この暗証番号変更画面は、例えば図４（ａ）に示す暗証番号変更画面５０であり、入力禁止の暗証番号を表示する入力禁止暗証番号表示領域５１および入力された暗証番号を「＊」等で表示する暗証番号入力領域５２で構成されたものである。
【００１８】
このとき、制御部５は、入力禁止暗証番号表示領域５１に、データベース４１の共通入力禁止暗証番号４１ａおよび利用者別入力禁止暗証番号４１ｂから読取ったすべての入力禁止暗証番号を表示する。なお、入力禁止暗証番号をひとつの画面で表示できない場合は複数の画面に分けて表示するものとする。
Ｓ１：利用者は、暗証番号変更画面５０に表示された入力禁止暗証番号表示領域５１の内容を確認しながら暗証番号の１桁目の数字を情報処理装置１の入力部３で入力するものとし、入力部３は、暗証番号の１桁目の数字の入力を受付ける。
【００１９】
Ｓ２：制御部５は、入力部３で暗証番号の１桁目の数字の入力を受付けると、入力された暗証番号の１桁目の数字および既に入力された利用者識別情報に基づいてデータベース４１を前方一致検索し、入力禁止暗証番号を抽出する。
制御部５は、まず入力された暗証番号の１桁目の数字に基づいてデータベース４１の共通入力禁止暗証番号４１ａを検索し、入力された暗証番号の１桁目の数字と、共通入力禁止暗証番号４１ａに記憶されている暗証番号の１桁目の数字とを比較し、一致する共通入力禁止暗証番号４１ａに記憶されている暗証番号を抽出する。
【００２０】
次に、制御部５は、既に入力された利用者識別情報に基づいてデータベース４１を検索し、当該利用者の利用者別入力禁止暗証番号４１ｂを抽出し、さらに入力された暗証番号の１桁目の数字に基づいてデータベース４１の共通入力禁止暗証番号４１ａを検索し、入力された暗証番号の１桁目の数字と、利用者別入力禁止暗証番号４１ｂに記憶されている暗証番号の１桁目の数字とを比較し、一致する利用者別入力禁止暗証番号４１ｂに記憶されている暗証番号を抽出する。
【００２１】
例えば、図２に示す共通入力禁止暗証番号４１ａおよび利用者別入力禁止暗証番号４１ｂがデータベース４１に記憶され、入力された暗証番号の１桁目の数字が「１」の場合、共通入力禁止暗証番号４１ａからは「１１１１」、「１２３４」が抽出され、利用者別入力禁止暗証番号４１ｂからは「１９８０」、「１２２５」が抽出される。
【００２２】
Ｓ３：制御部５は、抽出された入力禁止暗証番号の有無を判定し、抽出された入力禁止暗証番号が有る、すなわちＳ２において入力禁止暗証番号が抽出されたと判定すると、その入力禁止暗証番号を表示するため処理をＳ４へ移行し、抽出された入力禁止暗証番号が無い、すなわちＳ２において入力禁止暗証番号が抽出されなかったと判定すると、処理をＳ５へ移行する。
【００２３】
Ｓ４：抽出された入力禁止暗証番号が有ると判定した制御部５は、その入力禁止暗証番号を表示部２に表示している暗証番号変更画面に表示し、処理をＳ６へ移行する。
例えば、制御部５は、図４（ｂ）に示す暗証番号変更画面５０の入力禁止暗証番号表示領域５１に、抽出した入力禁止暗証番号である「１１１１」、「１２３４」、「１９８０」、「１２２５」を表示する。
【００２４】
Ｓ５：一方、抽出された入力禁止暗証番号が無いと判定した制御部５は、表示部２に表示している暗証番号変更画面に入力禁止暗証番号が表示されている場合、その入力禁止暗証番号を消去し、処理をＳ６へ移行する。
Ｓ６：制御部５は、入力された暗証番号の桁数が（最終桁数−１）と一致するか否かを判定し、一致すると判定すると処理をＳ７へ移行し、一致しないと判定すると処理をＳ１へ移行してＳ１〜Ｓ５の処理を繰り返し、次桁の検索処理を行う。なお、既に入力した暗証番号の１桁が削除された場合もＳ１〜Ｓ５の処理を繰り返すものとする。
【００２５】
Ｓ７：入力された暗証番号の桁数が（最終桁数−１）と一致すると判定した制御部５は、抽出した入力禁止暗証番号の最終桁と一致する数字の入力部３での入力を不可能にする。例えば、暗証番号を入力するための数字ボタンを表示部２に表示している場合、入力禁止暗証番号の最終桁と一致する数字ボタンを選択できないようにし、また当該数字ボタンの表示色等を変更して選択できないことを利用者に報知する。このように抽出した入力禁止暗証番号の最終桁と一致する数字の入力を禁止することにより、入力禁止暗証番号の入力を事前に抑止することができる。
【００２６】
なお、抽出した入力禁止暗証番号が存在しない場合、制御部５は、数字の入力を不可能にすることなく、入力部３での最終桁の入力を可能にする。
Ｓ８：制御部５は、暗証番号の最終桁の入力を入力部３で受付け、表示部２により暗証番号変更画面の一部の領域に暗証番号の登録・変更が可能である旨を表示する。
Ｓ９：制御部５は、記憶部４に入力された暗証番号を保存して本処理を終了する。
【００２７】
このように本実施例では、情報処理装置１の記憶部４に共通入力禁止暗証番号４１ａおよび利用者別入力禁止暗証番号４１ｂにより構成されたデータベース４１を備え、利用者の入力操作により暗証番号の１桁の数字が入力される毎に、入力された数字に基づいてデータベース４１を検索して当該利用者が使用することができない入力禁止暗証番号を抽出し、表示部２に表示するようにしたことにより、暗証番号の１桁の数字が入力される毎に、表示部２に表示される入力禁止暗証番号が限定され、利用者は使用が禁止される暗証番号を容易に確認することができる。
【００２８】
以上説明したように、第１の実施例では、情報処理装置で暗証番号の１桁の数字が入力される毎に、表示部に表示される入力禁止暗証番号が限定されていくため、利用者は使用が禁止される暗証番号を容易に確認することができるという効果が得られる。
また、暗証番号を変更する際、予め使用禁止となる暗証番号を表示部に表示することにより、暗証番号の再入力の操作を抑制することができるという効果が得られる。
さらに、入力禁止暗証番号と一致する最終桁の数字の入力を禁止するようにしたことにより、入力禁止暗証番号の入力を事前に抑止することができるという効果が得られる。
【実施例２】
【００２９】
本発明による自動取引システムまたは自動取引装置を説明する。
図５は第２の実施例における自動取引システムの構成を示すブロック図である。なお、上述した第１の実施例と同様の部分は、同一の符号を付してその説明を省略する。
図５において、自動取引システム１０は、自動取引装置１１と、ホストコンピュータ１６とにより構成され、自動取引装置１１とホストコンピュータ１６とは通信回線１７を介して通信可能に接続されている。
【００３０】
自動取引装置１１は、操作表示部１２と、記憶部１４と、制御部１５とから構成され、例えば現金自動預払機や自動券売機等の利用者の操作を受付けて現金の入出金取引や振込取引、乗車券、航空券、入場券等の発券取引を行うものである。
操作表示部１２は、液晶ディスプレイ等の表示手段およびタッチパネル等の入力手段で構成され、各種情報を表示するとともに、利用者の操作を受け付けて各種情報を入力するためのものである。本実施例では、操作表示部１２は暗証番号の設定画面や変更画面等の入力画面を表示し、表示された画面にしたがって利用者の暗証番号や利用者を識別するための利用者識別情報等の各種情報を入力することができるようになっている。
【００３１】
記憶部１４は、半導体メモリや磁気ディスク等で構成された情報記憶装置である。この記憶部１４は自動取引装置１１全体を制御するためのソフトウェア（プログラム）や各種処理を実行するためのソフトウェア（プログラム）やデータ、操作表示部１２に表示する画面の情報、操作表示部１２で入力された情報等を記憶するものである。
制御部１５は、ＣＰＵ、ＭＰＵ等の演算および制御手段等で構成されたものである。この制御部１５は操作表示部１２および記憶部１４を含めて自動取引装置１１全体の動作を記憶部１４に格納された制御プログラム（ソフトウェア）に基づいて制御する。
【００３２】
ホストコンピュータ１６は、半導体メモリや磁気ディスク等で構成された記憶手段としての記憶部と、その記憶部に利用者が使用することを禁止する暗証番号である入力禁止暗証番号を記憶するデータベース４１と、ホストコンピュータ１６全体の動作を制御する制御手段としての制御部とを備え、自動取引装置１１からの要求を受信して利用者が使用することを禁止する入力禁止暗証番号を抽出し、抽出した入力禁止暗証番号を自動取引装置１１へ応答する。なお、データベース４１の構成は図２に示す第１の実施例と同様である。
【００３３】
上述した構成の作用について説明する。
自動取引システムが行う暗証番号変更処理を図３の暗証番号変更処理の流れを示すフローチャートの図中Ｓで表すステップにしたがって図５、図２および図４を参照しながら説明する。
まず、自動取引システム１０のホストコンピュータ１６は、予め記憶手段に入力禁止となる暗証番号をデータベース４１として記憶し、共通入力禁止暗証番号４１ａおよび利用者別入力禁止暗証番号４１ｂを登録しておくものとする。
【００３４】
また、自動取引装置１１の制御部１５は、操作表示部１２でログインＩＤや口座番号等の利用者識別情報の入力操作を受付けた後、暗証番号の登録や変更を行う利用者の入力操作を受付けると、暗証番号変更画面を操作表示部１２に表示する。なお、口座番号等の利用者識別情報は、入力手段としてのカードリーダにより利用者が所持するカードの磁気ストライプやＩＣチップ等から読取るようにしても良い。
【００３５】
この暗証番号変更画面は、例えば図４（ａ）に示す暗証番号変更画面５０であり、入力禁止の暗証番号を表示する入力禁止暗証番号表示領域５１および入力された暗証番号を「＊」等で表示する暗証番号入力領域５２で構成されたものである。
このとき、自動取引装置１１の制御部１５は、入力禁止暗証番号表示領域５１に、ホストコンピュータ１６のデータベース４１の共通入力禁止暗証番号４１ａおよび利用者別入力禁止暗証番号４１ｂから読取ったすべての入力禁止暗証番号を表示する。なお、入力禁止暗証番号をひとつの画面で表示できない場合は複数の画面に分けて表示するものとする。
【００３６】
Ｓ１：利用者は、暗証番号変更画面５０に表示された入力禁止暗証番号表示領域５１の内容を確認しながら暗証番号の１桁目の数字を自動取引装置１１の操作表示部１２で入力するものとし、操作表示部１２は、暗証番号の１桁目の数字の入力を受付ける。
Ｓ２：制御部１５は、操作表示部１２で暗証番号の１桁目の数字の入力を受付けると、入力された暗証番号の１桁目の数字および既に入力された利用者識別情報をホストコンピュータ１６へ送信し、ホストコンピュータ１６は受信した暗証番号の１桁目の数字および利用者識別情報に基づいてデータベース４１を前方一致検索し、入力禁止暗証番号を抽出する。
【００３７】
ホストコンピュータ１６の制御部は、まず入力された暗証番号の１桁目の数字に基づいてデータベース４１の共通入力禁止暗証番号４１ａを検索し、入力された暗証番号の１桁目の数字と、共通入力禁止暗証番号４１ａに記憶されている暗証番号の１桁目の数字とを比較し、一致する共通入力禁止暗証番号４１ａに記憶されている暗証番号を抽出する。
【００３８】
次に、ホストコンピュータ１６の制御部は、受信した利用者識別情報に基づいてデータベース４１を検索し、当該利用者の利用者別入力禁止暗証番号４１ｂを抽出し、さらに受信した暗証番号の１桁目の数字に基づいてデータベース４１の共通入力禁止暗証番号４１ａを検索し、入力された暗証番号の１桁目の数字と、利用者別入力禁止暗証番号４１ｂに記憶されている暗証番号の１桁目の数字とを比較し、一致する利用者別入力禁止暗証番号４１ｂに記憶されている暗証番号を抽出し、抽出した暗証番号を自動取引装置１１へ送信する。
【００３９】
例えば、図２に示す共通入力禁止暗証番号４１ａおよび利用者別入力禁止暗証番号４１ｂがデータベース４１に記憶され、入力された暗証番号の１桁目の数字が「１」の場合、共通入力禁止暗証番号４１ａからは「１１１１」、「１２３４」が抽出され、利用者別入力禁止暗証番号４１ｂからは「１９８０」、「１２２５」が抽出される。
【００４０】
Ｓ３：自動取引装置１１の制御部１５は、抽出された入力禁止暗証番号の有無を判定し、抽出された入力禁止暗証番号が有る、すなわちＳ２において入力禁止暗証番号が抽出されたと判定すると、その入力禁止暗証番号を表示するため処理をＳ４へ移行し、抽出された入力禁止暗証番号が無い、すなわちＳ２において入力禁止暗証番号が抽出されなかったと判定すると、処理をＳ５へ移行する。
【００４１】
Ｓ４：抽出された入力禁止暗証番号が有ると判定した自動取引装置１１の制御部１５は、その入力禁止暗証番号を操作表示部１２に表示している暗証番号変更画面に表示し、処理をＳ６へ移行する。
例えば、制御部１５は、図４（ｂ）に示す暗証番号変更画面５０の入力禁止暗証番号表示領域５１に、抽出した入力禁止暗証番号である「１１１１」、「１２３４」、「１９８０」、「１２２５」を表示する。
【００４２】
Ｓ５：一方、抽出された入力禁止暗証番号が無いと判定した自動取引装置１１の制御部１５は、操作表示部１２に表示している暗証番号変更画面のに入力禁止暗証番号が表示されている場合、その入力禁止暗証番号を消去し、処理をＳ６へ移行する。
Ｓ６：自動取引装置１１の制御部１５は、入力された暗証番号の桁数が（最終桁数−１）と一致するか否かを判定し、一致すると判定すると処理をＳ７へ移行し、一致しないと判定すると処理をＳ１へ移行してＳ１〜Ｓ５の処理を繰り返し、次桁の検索処理を行う。なお、既に入力した暗証番号の１桁が削除された場合もＳ１〜Ｓ５の処理を繰り返すものとする。
【００４３】
Ｓ７：入力された暗証番号の桁数が（最終桁数−１）と一致すると判定した自動取引装置１１の制御部１５は、抽出した入力禁止暗証番号の最終桁と一致する数字の操作表示部１２での入力を不可能にする。例えば、暗証番号を入力するための数字ボタンを表示部２に表示している場合、入力禁止暗証番号の最終桁と一致する数字ボタンを選択できないようにし、また当該数字ボタンの表示色等を変更して選択できないことを利用者に報知する。このように抽出した入力禁止暗証番号の最終桁と一致する数字の入力を禁止することにより、入力禁止暗証番号の入力を事前に抑止することができる。
【００４４】
なお、抽出した入力禁止暗証番号が存在しない場合、制御部１５は、数字の入力を不可能にすることなく、操作表示部１２での最終桁の入力を可能にする。
Ｓ８：自動取引装置１１の制御部１５は、暗証番号の最終桁の入力を操作表示部１２で受付け、操作表示部１２により暗証番号変更画面の一部の領域に暗証番号の登録・変更が可能である旨を表示する。
Ｓ９：自動取引装置１１の制御部１５は、記憶部１４に入力された暗証番号を保存して本処理を終了する。
【００４５】
このように本実施例では、ホストコンピュータ１６の記憶部に共通入力禁止暗証番号４１ａおよび利用者別入力禁止暗証番号４１ｂにより構成されたデータベース４１を備え、自動取引装置１１において利用者の入力操作により暗証番号の１桁の数字が入力される毎に、入力された数字に基づいてホストコンピュータ１６がデータベース４１を検索して当該利用者が使用することができない入力禁止暗証番号を抽出し、自動取引装置１１が操作表示部１２に表示するようにしたことにより、暗証番号の１桁の数字が入力される毎に、操作表示部１２に表示される入力禁止暗証番号が限定され、利用者は使用が禁止される暗証番号を容易に確認することができる。
【００４６】
なお、本実施例では、データベース４１をホストコンピュータ１６に備えたものとして説明したが、第１の実施例における情報処理装置と同様に、自動取引装置１１の記憶部１４に備えるようにしても良い。
以上説明したように、第２の実施例では、自動取引システムおよび自動取引装置においても第１の実施例と同様の効果が得られる。
なお、第１の実施例および第２の実施例では、暗証番号を入力する情報処理装置、自動取引装置および自動取引システムの例を説明したが、暗証番号に替えてパスワードを入力する情報処理装置、自動取引装置および自動取引システムとしても良い。
【符号の説明】
【００４７】
１    情報処理装置
２    表示部
３    入力部
４、１４  記憶部
５、１５  制御部
１０  自動取引システム
１１  自動取引装置
１２  操作表示部
１６  ホストコンピュータ
４１  データベース
４１ａ  共通入力禁止暗証番号
４１ｂ  利用者別入力禁止暗証番号
【図１】
2014235635.tif 000003
【図２】
2014235635.tif 000004
【図３】
2014235635.tif 000005
【図４】
2014235635.tif 000006
【図５】
2014235635.tif 000007